【手続補正書】
【提出日】平成19年2月27日(2007.2.27)
【手続補正１】
【補正対象書類名】特許請求の範囲
【補正対象項目名】全文
【補正方法】変更
【補正の内容】
【特許請求の範囲】
【請求項１】
印刷データを受信すると、該印刷データに示された印刷設定情報に基づいて複数の印刷設定から連続印刷を行う印刷設定を選択して画像形成を行なう画像形成装置において、
印刷データを受信する受信部と、
前記印刷設定情報に第１の印刷設定を用いる印刷が指定されているか否かを判断する判断部と、
前記判断部から第１の印刷設定を用いる印刷が指定されているとの判断結果を受けると、第２の印刷設定を用いる印刷に変更すべく、前記印刷設定情報を置き換える印刷設定置換部と、
前記印刷設定置換部で前記印刷設定情報の置換が行なわれると、該印刷設定情報に示された第２の印刷設定を用いて前記印刷データに基づいて画像形成を行なう制御部と、
前記制御部で置換された前記第２の印刷設定を用いて画像形成中に前記第２の印刷設定の不足を検出すると、該第２の印刷設定の補充を促す報知部と、
を備えることを特徴とする画像形成装置。
【請求項２】
前記第１の印刷設定は、第１の印刷媒体であり、
前記第２の印刷設定は前記第１の印刷媒体とは異なる種類の第２の印刷媒体であることを特徴とする請求項１記載の画像形成装置。
【請求項３】
前記第１の印刷設定は、第１の印刷媒体を積載可能な第１のトレイであり、
前記第２の印刷設定は、前記第１のトレイとは異なる第２のトレイであることを特徴とする請求項１記載の画像形成装置。
【請求項４】
印刷媒体を該印刷媒体の種別に応じて格納する複数のトレイと、
前記各トレイに対応する印刷媒体の種類を識別する媒体識別部と、
前記各トレイを選択するトレイ選択部と、
前記トレイ選択部で選択したトレイに収容されている印刷媒体の媒体情報を前記媒体識別部から取得し、該取得した媒体情報を前記第２の印刷媒体の前記媒体設定情報として媒体設定入力部に出力するトレイ情報選択部と
を備えることを特徴とする請求項２に記載の画像形成装置。
【請求項５】
前記媒体識別部は、前記各トレイに対応して媒体識別情報を記憶する記憶部を備えることを特徴とする請求項４に記載の画像形成装置。
【請求項６】
前記媒体識別部は、前記各トレイから搬送される媒体の長さを検出する検出部を備え、
該検出部からの長さ情報に基づき前記媒体を識別することを特徴とする請求項４に記載の画像形成装置。
【請求項７】
上位装置に接続されており、
印刷媒体を該印刷媒体の種別に応じて格納する複数の給紙トレイと、前記各トレイ内の印刷媒体の種別を示す媒体情報をトレイ毎に記憶する記憶部と、前記各トレイにおける媒体切れを検出するための媒体有無検出部と、前記各トレイで媒体切れが生じると前記他方のトレイへ切替え給紙させるべく印刷制御する印刷制御部と、表示情報に基づいて表示する表示部とを備えた画像形成装置において、
前記印刷制御部は、前記上位装置により印刷に用いられるべく指定された印刷媒体を示す媒体指定情報と前記記憶部で保持されている媒体情報とが一致するトレイを検索するトレイ選定手段と、
前記トレイ選定手段の検索で一致するトレイがない場合、印刷可能なトレイに印刷媒体をセットするように表示し、印刷続行キーが押下されると該表示に基づいて印刷媒体がセットされたトレイから給紙し印刷処理を開始させる印刷続行手段を有しており、
前記印刷続行キーが押下され印刷続行手段による印刷処理が実行されているとき、前記媒体有無検出部が前記表示に基づいて印刷媒体がセットされたトレイに媒体切れが発生したことを検出すると、前記トレイ選定手段が前記媒体指定情報と前記記憶手段の媒体情報の一致するトレイを検索し、該検索で一致するトレイがある場合、該一致するトレイから給紙して印刷処理すべく制御し、一致するトレイがない場合には、前記媒体切れのトレイへ指定された印刷媒体をセットするように要求するための表示情報を前記表示部へ出力することを特徴とする画像形成装置。
【請求項８】
前記前記印刷続行キーが押下され印刷続行手段による印刷処理が実行されるとき選択されたトレイから搬送される媒体の種別を示す情報を検出する媒体情報検出手段を備えており、
前記印刷制御部は、前記選択されたトレイから給紙して印刷処理の実行中に、前記媒体有無検出部が前記選択されたトレイに媒体の無いことを検出すると、前記トレイ選定手段を起動させ、前記媒体指定情報と前記記憶手段の媒体情報との一致するトレイを検索させ、一致する給紙トレイがない場合には、前記媒体情報検出手段で検出して得た媒体検出情報と前記媒体情報とに基づいて、同一種類の媒体を収容する給紙トレイを検索させ、該検索で一致した給紙トレイから給紙するようにトレイの切替え制御を行なうことを特徴とする請求項７に記載の画像形成装置。
【請求項９】
前記給紙トレイは、印刷媒体を装置内部に格納することを特徴とする請求項７に記載の画像形成装置。
【請求項１０】
印刷媒体の種別を識別するための最大値寸法と最小値寸法とを保持しており、
前記媒体寸法の最大値および最小値と、前記媒体情報検出手段で検出された媒体の寸法の検出値とを比較して媒体の種別を判定し、その判定結果が示された前記媒体検出情報を生成する用紙監視部を備えることを特徴とする請求項８に記載の画像形成装置。
【手続補正２】
【補正対象書類名】明細書
【補正対象項目名】０００１
【補正方法】変更
【補正の内容】
【０００１】
本発明は、印刷データを受信すると、該印刷データに示された印刷設定情報に基づいて複数の印刷設定から印刷を行う印刷設定を選択して画像形成を行う画像形成装置に関するものである。
【手続補正３】
【補正対象書類名】明細書
【補正対象項目名】０００５
【補正方法】変更
【補正の内容】
【０００５】
ところが、従来の画像形成装置では、印刷設定の指定情報を変更して印刷処理を実行している時に変更した印刷設定が不足すると、自動的に変更前と同一の印刷設定に切替えて印刷を続行しようとする。このため、ユーザの予期せぬ媒体に印刷されてしまうという不具合が生じる。
【手続補正４】
【補正対象書類名】明細書
【補正対象項目名】０００６
【補正方法】変更
【補正の内容】
【０００６】
そこで本発明の目的は、上記の従来技術のもつ問題点を解消すべく、印刷設定情報を変更して印刷処理を実行している時に変更した印刷設定切れが生じた場合に、ユーザの意図する印刷設定で確実に印刷処理がされるように促す画像形成装置を提供することにある。
【手続補正５】
【補正対象書類名】明細書
【補正対象項目名】０００７
【補正方法】変更
【補正の内容】
【０００７】
本発明は、以上の点を解決するために、次の構成を採用する。
印刷データを受信すると、該印刷データに示された印刷設定情報に基づいて複数の印刷設定から連続印刷を行う印刷設定を選択して画像形成を行なう画像形成装置において、印刷データを受信する受信部と、印刷設定情報に第１の印刷設定を用いる印刷が指定されているか否かを判断する判断部と、判断部から第１の印刷設定を用いる印刷が指定されているとの判断結果を受けると、第２の印刷設定を用いる印刷に変更すべく、印刷設定情報を置き換える印刷設定置換部と、印刷設定置換部で印刷設定情報の置換が行なわれると、該印刷設定情報に示された第２の印刷設定を用いて印刷データに基づいて画像形成を行なう制御部と、制御部で置換された第２の印刷設定を用いて画像形成中に第２の印刷設定の不足を検出すると、該第２の印刷設定の補充を促す報知部とを備えることを特徴とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】変更
【補正の内容】
【００１３】
本発明の画像形成装置によれば、印刷設定情報を変更して印刷処理を実行している時に印刷設定切れが生じても、ユーザの意図する印刷設定で確実に印刷処理を実行することができる。